(57)【要約】【課題】  各種設定をユーザ側で設定変更可能とすることで、ユーザが使いやすい環境を実現できるようにする。【解決手段】  表示部１５に設けたメニューバー表示エリアにカスタマイズスイッチを表示し、このカスタマイズスイッチに対応して設定された複数の機能に関する設定変更用画面をデータとして有し、カスタマイズスイッチの操作に応じて、設定変更可能な機能に対応する複数のタブを有するカスタマイズウィンドウの画像を表示部に表示し、優先切換タブが選択されると、第１報の警報のみについて優先切換機能を有効とするか、第１報に後続する後続警報についても優先切換機能を有効とするかを変更可能とするユーザ設定機能制御手段を設ける。【選択図】        図１
2006004241.tif 000002
【特許請求の範囲】
【請求項１】
複数の端末機器が接続された火災受信機に接続されて、該火災受信機を介して送られてくる各端末機器の状態情報に基づいて、表示部に表示されている建物内のフロアの平面図上に配置された前記状態情報に対応する端末機器のシンボルの表示を変化させる火災表示装置において、
複数の機能に関する設定を変更可能なユーザ設定機能制御手段を備え、
該ユーザ設定機能制御手段にて設定変更可能な機能の中には、少なくとも前記状態情報における警報情報に対応する端末機器が配置されたフロアの平面図を表示部上に自動的に切り換え表示させる優先切換機能を含み、第１報の警報のみについて該優先切換機能を有効とするか、第１報に後続する後続警報についても該優先切換機能を有効とするかを変更可能であることを特徴とする火災表示装置。
【請求項２】
前記ユーザ設定機能手段は、さらに前記表示部上に配置されるワンタッチスイッチへの割り当て登録機能、火災ガイダンス等のポップアップウィンドウ内容の編集機能、スクリーンセーバー表示内容の編集機能、前記ポップアップウィンドウの自動映出の有効、無効の設定機能、暗証番号の設定機能、のいずれかの設定を変更可能であることを特徴とする請求項１記載の火災表示装置。
【請求項３】
前記ユーザ設定機能手段は、予め設定された暗証番号が入力され確認がとれた場合に、前記設定の変更を可能とすることを特徴とする請求項１又は請求項２記載の火災表示装置。
【請求項４】
前記警報情報は、該警報情報の種類に対応して重要度が設定されており、
前記優先切換機能が前記第１報に後続する後続警報についても有効とする設定である場合において、
重要度の高い警報情報に関連したフロアの平面図を前記表示部に表示している際に、重要度の低い警報情報が後続警報として発生しても、該重要度の低い警報情報に関連したフロアの平面図を前記表示部に切換表示することを禁止することを特徴とする請求項１記載の火災表示装置。
【請求項５】
前記ユーザ設定機能制御手段は、前記表示部に設けたメニューバー表示エリアにカスタマイズスイッチを表示し、該カスタマイズスイッチに対応して設定された複数の機能に関する設定変更用画面をデータとして有し、該カスタマイズスイッチの操作に応じて、前記設定変更可能な機能に対応する複数のタブを有するカスタマイズウィンドウの画像を前記表示部に表示し、前記タブの一つが選択されると、該当する設定変更用画面に切換表示することを特徴とする請求項１乃至請求項４のいずれかに記載の火災表示装置。
【発明の詳細な説明】
【技術分野】
【０００１】
本発明は、各種設定をユーザ側で変更可能な火災表示装置に関する。
【背景技術】
【０００２】
従来この種の火災表示装置は、火災報知設備、つまり複数の端末機器が接続された火災受信機に接続されて、双方向通信を行い、火災受信機から送られてくる各種情報を表示部に表示する。例えば、端末機器の状態情報（例えば火災情報）を受信すると、表示部に表示されている建物内のフロアの平面図上に配置された前記状態情報に対応する端末機器のシンボルの表示を変化させる。このとき、前記火災情報に対応する端末機器の配置された出火階の平面図が表示部上に表示されていなければ、この火災発生個所（出火階）の平面図を表示部上に自動的に切り換え表示する（例えば特許文献１）。
【０００３】
【特許文献１】特開平５−２８３８０号公報
【発明の開示】
【発明が解決しようとする課題】
【０００４】
ところで、火災表示装置において、前記火災情報等の警報情報発生時に出火階等の該当フロアの平面図を表示部上に優先的に自動切換表示する機能の設定は、これまでシステム設計時に設定され、ユーザ側の使い勝手に応じて設定変更することができなかった。さらに、この火災情報等の警報情報発生時における出火階等の該当フロアの平面図への自動切換表示機能は、第１報のフロアのみ有効で、第１報に後続する後続警報に対応するフロアの平面図への自動切換表示機能は備えられていなかった。その他の各種設定についてもユーザ側の使い勝手に応じて設定変更することができなかった。
【０００５】
本発明の技術的課題は、各種設定をユーザ側で設定変更可能とすることで、ユーザが使いやすい環境を実現できるようにすることにある。
【課題を解決するための手段】
【０００６】
（１）本発明に係る火災表示装置は、下記の構成からなるものである。すなわち、複数の端末機器が接続された火災受信機に接続されて、この火災受信機を介して送られてくる各端末機器の状態情報に基づいて、表示部に表示されている建物内のフロアの平面図上に配置された状態情報に対応する端末機器のシンボルの表示を変化させる火災表示装置において、複数の機能に関する設定を変更可能なユーザ設定機能制御手段を備え、このユーザ設定機能制御手段にて設定変更可能な機能の中には、少なくとも状態情報における警報情報に対応する端末機器が配置されたフロアの平面図を表示部上に自動的に切り換え表示させる優先切換機能を含み、第１報の警報のみについて優先切換機能を有効とするか、第１報に後続する後続警報についても優先切換機能を有効とするかを変更可能とするものである。
（２）本発明に係る火災表示装置は、前記（１）において、ユーザ設定機能手段はさらに表示部上に配置されるワンタッチスイッチへの割り当て登録機能、火災ガイダンス等のポップアップウィンドウ内容の編集機能、スクリーンセーバー表示内容の編集機能、ポップアップウィンドウの自動映出の有効、無効の設定機能、暗証番号の設定機能、のいずれかの設定を変更可能とするものである。
（３）本発明に係る火災表示装置は、前記（１）又は（２）において、ユーザ設定機能手段は、予め設定された暗証番号が入力され確認がとれた場合に、設定の変更を可能とするものである。
（４）本発明に係る火災表示装置は、前記（１）において、警報情報は、該警報情報の種類に対応して重要度が設定されており、優先切換機能が第１報に後続する後続警報についても有効とする設定である場合において、重要度の高い警報情報に関連したフロアの平面図を表示部に表示している際に、重要度の低い警報情報が後続警報として発生しても、該重要度の低い警報情報に関連したフロアの平面図を表示部に切換表示することを禁止するものである。
（５）本発明に係る火災表示装置は、前記（１）〜（４）において、ユーザ設定機能制御手段は、表示部に設けたメニューバー表示エリアにカスタマイズスイッチを表示し、このカスタマイズスイッチに対応して設定された複数の機能に関する設定変更用画面をデータとして有し、カスタマイズスイッチの操作に応じて、設定変更可能な機能に対応する複数のタブを有するカスタマイズウィンドウの画像を表示部に表示し、タブの一つが選択されると、該当する設定変更用画面に切換表示するものである。
【発明の効果】
【０００７】
（１）本発明においては、火災情報（発報情報）等の警報情報発生に関するフロアの平面図の表示切換を、第１報優先と後続優先とで設定変更可能となり、特に後続優先とした場合には、後続警報の発生したフロアの平面図を順次表示部上に表示するので見逃すことがなくなり、また常に最新情報を閲覧することができる。
（２）本発明においては、優先切換設定の他にも、ワンタッチスイッチへの割り当て登録、ポップアップウィンドウの内容、スクリーンセーバー表示内容、ポップアップウィンドウの自動映出の有効、無効、暗証番号、等の各種設定をユーザ側で設定変更可能であるので、ユーザが使いやすい環境を実現できる。
（３）本発明においては、予め設定された暗証番号が入力され確認がとれた場合に、設定の変更を可能とすることができるようにしているので、安全性の確保が容易である。
（４）本発明においては、警報情報は、該警報情報の種類に対応して重要度が設定されており、優先切換機能が第１報に後続する後続警報についても有効とする設定である場合において、重要度の高い警報情報に関連したフロアの平面図を表示部に表示している際に、重要度の低い警報情報が後続警報として発生しても、該重要度の低い警報情報に関連したフロアの平面図を表示部に切換表示することを禁止するものである。
つまり、発報、作動、異常等の警報情報のうち、例えば、発報は重要度高、作動、異常は重要度低に設定され、後続優先とした場合は、後続警報の警報情報の重要度がそれ以前に発生した警報情報の重要度以上である場合に、後続警報に対応するフロアの平面図を表示部に表示するようになっており、つまり、後続警報の発生による平面図の切換表示は、後続警報の警報情報とそれ以前に発生した警報情報との重要度の比較に基づいて行われるので、最新の重要度の高い警報を見逃すことがなくなる。
（５）本発明においては、ユーザ設定機能制御手段は、表示部に設けたメニューバー表示エリアにカスタマイズスイッチを表示し、このカスタマイズスイッチに対応して設定された複数の機能に関する設定変更用画面をデータとして有し、カスタマイズスイッチの操作に応じて、設定変更可能な機能に対応する複数のタブを有するカスタマイズウィンドウの画像を表示部に表示し、タブの一つが選択されると、該当する設定変更用画面に切換表示するので、複数の機能の設定変更操作を容易に行うことができる。
【発明を実施するための最良の形態】
【０００８】
図１は本発明の一実施形態に係る火災表示装置を組み込んだシステム全体の構成を示すブロック図、図２は本実施形態装置のＣＲＴ表示部の画面の基本構成を示す図、図３はカスタマイズスイッチのあるプルダウンメニュー画面の表示例を示す図、図４はワンタッチスイッチの登録の設定変更用画面であるカスタマイズウィンドウの表示例を示す図、図５はポップアップウィンドウの自動映出の有効、無効、及び出火階優先（第１報警報優先）と後続優先（後続警報優先）の設定変更用画面であるカスタマイズウィンドウの表示例を示す図、図６はポップアップウィンドウの内容の設定変更用画面であるカスタマイズウィンドウの表示例を示す図、図７はスクリーンセーバー表示内容の設定変更用画面であるカスタマイズウィンドウの表示例を示す図、図８は暗証番号の設定変更用画面であるカスタマイズウィンドウの表示例を示す図、図９は標準スクリーンセーバーの表示例を示す図、図１０は防災スクリーンセーバーの表示例を示す図、図１１は伝言スクリーンセーバーの表示例を示す図である。
【０００９】
図１において、１は火災表示装置、２は火災表示装置１が接続された火災受信機である。この火災表示装置１と火災受信機２は、一体化した構成としてもよい。火災受信機２には、建物内に配設された各種の端末機器、例えば煙感知器２０、熱感知器２１等の火災感知器、火災発見者が操作する発信機２２、地区ベル装置２３、ガス漏れ検知器２４、防火戸２５や、防災用動力である加圧排煙機２６、排煙機２７、消火ポンプ２８等が信号線を介して接続されている。
【００１０】
３は商用電源、４はスイッチがオフされたときに、火災表示装置１の制御部１９に移報信号を出力する機能を備えたブレーカ、５は火災表示装置１にブレーカ４を介して商用電源３からの電源を供給する予備電源装置である。この予備電源装置５は、停電したり予備電源の電圧が低下したときに制御部１９に電圧低下を知らせる信号を出力する。なお、火災表示装置１の制御部１９は、移報信号が入力されたとき、あるいは電圧低下を検知したときは火災表示装置１の動作を終了し、かつ予備電源装置５に電源断を制御する停止出力を発するようになっている。
【００１１】
１１は火災受信機２から移報される各種端末機器（煙感知器２０や熱感知器２１やガス漏れ検知器２４等）の状態情報を信号伝送により受信したり、各種制御信号を送信するインターフェース部である。１２は火災受信機２によって定期的に実施される煙感知器２０や熱感知器２１等の端末機器の試験結果情報を外部記録媒体のフロッピー（登録商標）ディスク６に記録したり、そのフロッピー（登録商標）ディスク６に記録した前記の試験結果情報等の各種情報を読み出したりする外部記録媒体駆動部（フロッピー（登録商標）ディスクドライバ等）である。この外部記録媒体駆動部１２は、制御部１９によって制御される。１３は制御部１９を動作させる制御プログラムや処理プログラム、カスタマイズスイッチのあるプルダウンメニューの画像データ、各種設定の設定変更用画面であるカスタマイズウィンドウの画像データ、各種スクリーンセーバーの画像データ、各種端末機器のシンボルが配置された建物の各フロアの平面図画像データ、等が記憶されている例えばハードディスクからなる記憶部である。前記の処理プログラムには、本発明のユーザ設定機能制御手段の機能をプログラミングしたものも含まれている。
【００１２】
１４は制御部１９の制御によって映出される画像を出力する画像出力部、１５は画像出力部１４から出力される画像を例えばＣＲＴに表示するＣＲＴ表示部、１６はマウス１７が接続される操作入力部で、ＣＲＴ表示部１５の画面上にポインタを表示し、マウス１７の移動操作に基づいてそのポインタを移動し、クリック操作による入力を判別して制御部１９に通知する。ここで、ＣＲＴ表示部１５の画面上には、後述する各種スイッチが表示されるようになっており、オペレータによるこの各種スイッチの選択操作は、選択したいスイッチ上にポインタを移動操作し、つぎに、クリック操作を行うことにより実施される。なお、前記移動操作やクリック操作は、画面上のタッチパネル操作でも可能となっている。また、表示部は必ずしもＣＲＴでなくともよく、ＬＣＤやプラズマ表示部等であってもよい。１８はＬＡＮを介して副表示機３０と接続するためのインターフェース部である。副表示機３０は、図示していないがＣＲＴ表示部を有し、このＣＲＴ表示部に火災表示装置１に表示されている画面を表示したり、画面を切り換える機能を備えている。
【００１３】
ＣＲＴ表示部１５の画面は、図２のようにグラフィックエリア、メニューバー表示エリア（プルダウンメニューを含む）、時刻表示エリア、平面キープランエリア、断面キープランエリア、防災用動力表示エリア、アラームリストエリア、消防活動支援表示エリア、及び基本表示操作エリアからなっている。
【００１４】
グラフィックエリアは、建物のフロアの平面図、カスタマイズウィンドウ等の画像を表示するエリアであり、プルダウンメニューを含むメニューバー表示エリアは、各種のスイッチを表示するエリアであり、時刻表示エリアは現在の日時を表示するエリアである。平面キープランエリアは、グラフィックエリアに表示された平面図と同じフロアの縮小全体平面図（図示せず）をウィンドウ表示するエリアであり、断面キープランエリアは、建物の全体の概略縦断面図をウィンドウ表示するエリアで、建物全体の階数が一目でわかるようになっている。具体的には、建物の各フロアに対応してフロア選択スイッチ５０が配列されたフロア選択ウィンドウ画面を表示するエリアであり、この各フロア選択スイッチ５０は、オペレータによる前記選択操作により、例えば、黒色反転表示に変化するとともに、対応するフロアの平面図がグラフィックエリアに表示される。また、発報、作動、異常等の状態情報が発生した端末機器に対応するフロア選択スイッチ５０は、例えば、赤色反転表示に変化して、発報、作動、異常等の警報状態を報知することができる。
【００１５】
防災用動力表示エリアは、例えば消火ポンプ表示エリアと排煙機表示エリアとからなり、状態変化した消火ポンプ２８や排煙機２７等を文字情報およびシンボル表示でウィンドウ表示するエリアである。状態変化とは、消火ポンプ２８や排煙機２７等が制御状態になったときや停止状態から動作状態になったとき、また異常状態になったときであり、火災受信機２からの状態情報に基づいて表示される。アラームリストエリアは、発報した煙感知器２０や熱感知器２１、手動あるいは自動で動作した排煙口、防火ダンパ等（図示せず）の状態変化した各種端末機器を時系列にウィンドウ表示するエリアである。消防活動支援表示エリアは、消防活動の支援に要する各種スイッチを備える画像を表示するためのエリアであり、基本表示操作エリアは、火災断定、画面消去、復旧、音響停止等を操作したり、その状態を表示するための各種スイッチを備える画像をウィンドウ表示するエリアである。
【００１６】
次に、前記のように構成された本実施形態の火災表示装置の各種設定の設定変更動作について図３乃至図１１に基づき図１及び図２を参照しながら説明する。まず図２に示す画面において、火災表示装置１の制御部１９は、メニューバー表示エリアに表示された「保守」スイッチの操作によるプルダウンメニュー（図３）の中の「カスタマイズ」スイッチの選択を確認すると、記憶部１３から暗証番号入力用の画像データ（図示せず）を読み出して、グラフィックエリアに表示する。そして、正確な暗証番号の入力があったことが確認されると、記憶部１３からカスタマイズウィンドウの画像データを読み出して、図４のようにＣＲＴ表示部１５のグラフィックエリアに表示する。このとき、つまりカスタマイズウィンドウの初期画面では、設定変更可能な機能の一つである「ワンタッチスイッチの登録」のタブが選択された状態にあり、ＣＲＴ表示部１５の画面上に配置されるスイッチＮｏ．１〜７のワンタッチスイッチ（図２においては、「防災諸警報スイッチ」〜「緊急連絡先スイッチ」の７つのスイッチ）への割り当て登録のための操作が可能となる。
このワンタッチスイッチは、オペレータによりマウス１７等を用いて選択操作されることで、対応する画面（画像データ）をグラフィックエリアに表示する機能を有するものであり、スイッチ項目として、「防災諸警報」、「消火設備モード」、「業務用ガス遮断弁」、「消火ポンプ制御」、「排煙機制御」、「加圧排煙機制御」、「緊急連絡先」を割り当て登録可能であり、また、対応する画面（画像データ）をグラフィックエリアに表示するときの種類として、「画面」（グラフィックエリア全体に対応する画像データを表示すること）、「ウィンドウ」（グラフィックエリア内に対応する画像データをウィンドウ表示すること）を割り当て登録可能となっている。
【００１７】
なお、「防災諸警報」スイッチ、「消火設備モード」スイッチ、「業務用ガス遮断弁」スイッチは、対応する各種端末機器の状態一覧情報、例えば、「防災諸警報」スイッチは防災用動力機器（加圧排煙機２６、排煙機２７、消火ポンプ２８）の起動（作動）、異常等の状態一覧情報、「消火設備モード」スイッチは消火設備の手動モード、自動モード等のモード状態一覧情報、「業務用ガス遮断弁」スイッチは業務用ガス遮断弁の開閉等の状態一覧情報の画像データを表示するためのものであり、「消火ポンプ制御」スイッチ、「排煙機制御」スイッチ、「加圧排煙機制御」スイッチは対応する各種端末機器の起動、停止等を制御するための画像データを表示するためのものであり、「緊急連絡先」スイッチは緊急連絡先を報知するための画像データを表示するためのものである。
【００１８】
ユーザは、マウス１７操作等により、登録したいスイッチＮｏ．に対応した種類セル６１の種類選択スイッチ６２をクリック操作して、プルダウン表示された「画面」、「ウィンドウ」のいずれかにポインタを移動操作し、かつクリック操作を行って選択した種類を種類セル６１に選択表示させ、また、項目セル６３の項目選択スイッチ６４をクリック操作して、プルダウン表示された「防災諸警報」、「消火設備モード」、「業務用ガス遮断弁」、「消火ポンプ制御」、「排煙機制御」、「加圧排煙機制御」、「緊急連絡先」のいずれかにポインタを移動操作し、かつクリック操作を行って選択した項目を項目セル６３に選択表示させた後に、登録スイッチ６５をクリック操作することにより、ワンタッチスイッチの割り当て登録が実施される（図４参照）。
ユーザは、ユーザ側の要否により必要とする項目の機能を有するものをスイッチとして割り当て登録することができ、またそのスイッチの画面上への配置場所もスイッチＮｏ．に対応させることで変更できることから、使用頻度等に合わせて変更可能であり、ユーザ側の使いやすい環境として設定することができる。
【００１９】
また、火災表示装置１の制御部１９は、カスタマイズウィンドウの初期画面（図４）の状態から「自動映出・優先切換」タブの選択を確認すると、記憶部１３から自動映出・優先切換設定変更用の画像データを読み出して、図５のようにＣＲＴ表示部１５のグラフィックエリアに表示する。これにより、火災ガイダンスや非火災ガイダンスやガスもれガイダンス等のガイダンスのためのポップアップウィンドウ、緊急連絡先を知らせるためのポップアップウィンドウ、シンボル凡例のリストを表示するためのポップアップウィンドウの自動映出を有効とするか無効とするかの設定変更のための操作が可能となる。これらポップアンプウィンドウは、グラフィックエリアの左上または右上への表示を設定することができるようになっており、ユーザは、マウス１７操作等により、自動映出したい場合はその映出したいポップアップウィンドウ、自動映出したくない場合はポップアップウィンドウなしに対応した選択クリック欄７１にポインタを移動操作し、かつクリック操作を行って選択した選択クリック欄７１を選択表示させた後に、登録スイッチ６５をクリック操作することにより、ポップアップウィンドウの自動映出に関する設定登録が実施される。  なお、ポップアップウィンドウの自動映出を有効と設定すると、グラフィックエリアに建物のフロアの平面図を表示する際に、グラフィックエリアの左上または右上の設定された箇所に、この設定されたポップアップウィンドウを自動映出する。また、ガイダンスのポップアップウィンドウが設定されると、グラフィックエリアに表示されている建物のフロアの平面図に配置されている端末機器の状態情報に関連した火災、非火災、ガスもれガイダンスを自動選択して映出するので、そのフロア状況に対応した適切な処置を迅速に行うことができる。
さらに、この自動映出・優先切換設定変更用の画面にて、第１報の警報のみについて優先切換機能を有効とするか（図５の出火階優先の選択に基づく）、第１報に後続する後続警報についても優先切換機能を有効とするか（図５の後続優先の選択に基づく）の設定変更のための操作が可能なる。つまり、状態情報における発報、作動、異常等の警報情報を受信すると、該警報情報に対応した端末機器が配置されたフロアの平面図をグラフィックエリアに自動的に切換表示するが、この切換表示機能を、第１報の警報のみについて有効とするか、又は第１報に後続する後続警報についても有効とするかを設定変更することができる。
設定変更操作としては、ユーザは、マウス１７の操作等により、登録したい出火階優先（第１報警報優先）または後続優先（後続警報優先）に対応した選択クリック欄７２にポインタを移動操作し、かつクリック操作を行って選択した選択クリック欄７２を選択表示させた後に、登録スイッチ６５をクリック操作することにより、優先切換機能に関する設定登録が実施される。
【００２０】
また、火災表示装置１の制御部１９は、カスタマイズウィンドウの「ウィンドウ内容の編集」タブの選択を確認すると、記憶部１３からウィンドウ内容の編集用の画像データを読み出して、図６のようにＣＲＴ表示部１５のグラフィックエリアに表示する。これにより、ポップアップウィンドウに表示する内容を、ウィンドウ内容の編集用画面内の右側の窓７５に表示させ、この窓７５内に表示された内容（ポップアップウィンドウに表示される内容）を編集することが可能となる。これにより、各種の設置現場の実情に合わせたガイダンス等の各種内容をポップアップウィンドウで表示することができる。
設定変更操作としては、ユーザは、マウス１７操作等により、編集したいウィンドウに対応した選択クリック欄７６にポインタを移動操作し、かつクリック操作を行って選択した選択クリック欄７６を選択表示させると、窓７５内にそのウィンドウの表示内容が表示される。そして、色選択パレット７７の使用したい色パレットにポインタを移動操作し、かつクリック操作を行って選択した色パレットを選択表示させて入力文字の色を選択し、つぎに、キーボード（図示せず）による文字の入力操作や削除操作を行って、適宜、ウィンドウの表示内容における必要個所の変更を行った後に、登録スイッチ６５をクリック操作することにより、ウィンドウ内容の編集に関する設定登録が実施される。
【００２１】
また、火災表示装置１の制御部１９は、カスタマイズウィンドウの「スクリーンセーバー」タブの選択を確認すると、記憶部１３からスクリーンセーバ編集用の画像データを読み出して、図７のようにＣＲＴ表示部１５のグラフィックエリアに表示する。これにより、標準スクリーンセーバ（図９）、防災スクリーンセーバ（図１０）、伝言スクリーンセーバ（図１１）の、表示内容の編集（伝言スクリーンセーバのみ可能）やスクリーンセーバへの自動切換までの待ち時間や、有効となる前記各スクリーンセーバの種類の設定や、スクリーンセーバを無効とする設定変更のための操作が可能となる。
設定変更操作としては、ユーザは、マウス１７操作等により、登録したいスクリーンセーバの表示内容に対応した選択クリック欄８１にポインタを移動操作し、かつクリック操作を行って選択した選択クリック欄８１を選択表示させる。伝言スクリーンセーバを選択した場合は、キーボード（図示せず）による文字の入力操作等を行って窓８２内に、適宜、伝言スクリーンセーバの表示内容を入力する。また、スクリーンセーバの有効または無効に対応した選択クリック欄８３にポインタを移動操作し、かつクリック操作を行って選択した選択クリック欄８３を選択表示させる。スクリーンセーバを有効（「待ち時間」の選択クリック欄８３を選択表示）とした場合は、待ち時間変更スイッチ８４にポインタを移動操作し、かつクリック操作を行って窓８５に表示されるスクリーンセーバ起動までの待ち時間を変更する。しかる後に、登録スイッチ６５をクリック操作することにより、スクリーンセーバに関する設定登録が実施される。
スクリーンセーバの表示内容として、防災スクリーンセーバを選択すると、図１０に示すように、火災報知設備に関する用語集からランダムに選択された用語が一定期間毎に切換表示されるので、ユーザは、自然と、火災報知設備に関する知識を得ることができる。また、伝言スクリーンセーバを選択すると、図１１に示すように、伝言したい文章が表示されるので、図１１の例では定期点検による発報等を実火災と判断することがなくなる。
【００２２】
また、火災表示装置１の制御部１９は、カスタマイズウィンドウの「暗証番号の変更」タブの選択を確認すると、記憶部１３から暗証番号変更用の画像データを読み出して、図８のようにＣＲＴ表示部１５のグラフィックエリアに表示する。そして、変更前の正確な暗証番号の入力があったことが確認されると、暗証番号変更のための操作が可能となる。暗証番号変更操作としては、ユーザは、マウス１７操作等により、まず現在（変更前）の暗証番号を対応するセル９１にテンキー９３を用いて入力して、対応する確認スイッチ９２のクリック操作を行う。同様にして、変更後の暗証番号を対応するセル９１に入力して、対応する確認スイッチ９２のクリック操作を行う（この変更後の暗証番号に関する操作は、確認のために、対応する２つのセル９１、確認スイッチ９２にて行われる）。しかる後に、登録スイッチ６５をクリック操作することにより、暗証番号変更に関する設定登録が実施される。
【００２３】
このように、本実施形態の火災表示装置は、火災発生等の警報（警報情報）に関するフロアの平面図の表示切換を、図５のように出火階優先（第１報警報優先）と後続優先（後続警報優先）とで設定変更可能となったので、特に後続優先とした場合には、後続警報の発生したフロアの平面図を順次表示部上に表示するので見逃すことがなくなり、また常に最新情報を閲覧することができる。
【００２４】
また、優先切換設定の他にも、ワンタッチスイッチへの割り当て登録（図４）、ポップアップウィンドウの内容（図６）、スクリーンセーバー表示内容（図７）、ポップアップウィンドウの自動映出の有効、無効（図５）、暗証番号（図８）、等の各種設定をユーザ側で設定変更可能となったので、ユーザが使いやすい環境を実現できる。
【００２５】
また、予め設定された暗証番号が入力され確認がとれた場合に、設定の変更を可能とすることができるようにしたので、安全性の確保が容易である。
【００２６】
また、ユーザ設定機能制御手段は、表示部に設けたメニューバー表示エリアにカスタマイズスイッチを表示し、このカスタマイズスイッチに対応して設定された複数の機能に関する設定変更用画面をデータとして有し、カスタマイズスイッチの操作に応じて、設定変更可能な機能に対応する複数のタブを有するカスタマイズウィンドウの画像を表示部に表示し、タブの一つが選択されると、該当する設定変更用画面に切換表示するので、複数の機能の設定変更操作を容易に行うことができる。
【００２７】
前記実施形態の火災表示装置では、警報情報は、該警報情報の種類に対応して重要度が設定されており、優先切換機能が第１報に後続する後続警報についても有効とする設定である場合において、重要度の高い警報情報に関連したフロアの平面図を表示部に表示している際に、重要度の低い警報情報が後続警報として発生しても、該重要度の低い警報情報に関連したフロアの平面図を表示部に切換表示することを禁止するようにしている。
つまり、発報、作動、異常等の警報情報のうち、例えば発報は重要度高、作動、異常は重要度低に設定され、後続優先とした場合は、後続警報の警報情報の重要度がそれ以前に発生した警報情報の重要度以上である場合に、後続警報に対応するフロアの平面図を表示部に表示するようになっており、後続警報の発生による平面図の切換表示は、後続警報の警報情報とそれ以前に発生した警報情報との重要度の比較に基づいて行われるので、最新の重要度の高い警報を見逃すことがなくなる。
【図面の簡単な説明】
【００２８】
【図１】本発明の一実施形態に係る火災表示装置を組み込んだシステム全体の構成を示すブロック図である。
【図２】本実施形態装置のＣＲＴ表示部の画面の基本構成を示す図である。
【図３】本実施形態装置のカスタマイズスイッチのあるプルダウンメニュー画面の表示例を示す図である。
【図４】本実施形態装置のワンタッチスイッチの登録の設定変更用画面であるカスタマイズウィンドウの表示例を示す図である。
【図５】本実施形態装置のポップアップウィンドウの自動映出の有効、無効、及び出火階優先と後続優先の設定変更用画面であるカスタマイズウィンドウの表示例を示す図である。
【図６】本実施形態装置のポップアップウィンドウの内容の設定変更用画面であるカスタマイズウィンドウの表示例を示す図である。
【図７】本実施形態装置のスクリーンセーバー表示内容の設定変更用画面であるカスタマイズウィンドウの表示例を示す図である。
【図８】本実施形態装置の暗証番号の設定変更用画面であるカスタマイズウィンドウの表示例を示す図である。
【図９】本実施形態装置の標準スクリーンセーバーの表示例を示す図である。
【図１０】本実施形態装置の防災スクリーンセーバーの表示例を示す図である。
【図１１】本実施形態装置の伝言スクリーンセーバーの表示例を示す図である。
【符号の説明】
【００２９】
１  火災表示装置
２  火災受信機
１３  記憶部
１４  画像出力部
１５  ＣＲＴ表示部
【図１】
2006004241.tif 000003
【図２】
2006004241.tif 000004
【図３】
2006004241.tif 000005
【図４】
2006004241.tif 000006
【図５】
2006004241.tif 000007
【図６】
2006004241.tif 000008
【図７】
2006004241.tif 000009
【図８】
2006004241.tif 000010
【図９】
2006004241.tif 000011
【図１０】
2006004241.tif 000012
【図１１】
2006004241.tif 000013